(57)【要約】【課題】高齢者が比較的楽に昇降することが可能な脚立を提供する。【解決手段】折り畳み式脚立（１００）は、相互に平行な第一支持用柱（１０１）及び第二支持用柱（１０２）と、第一支持用柱及び第二支持用柱との間に配置された少なくとも二つの踏み台（１０３）と、からなる本体（１１０）と、第一支持用柱及び第二支持用柱に対して連結点（１２１）において回動可能に連結された補助体（１２０）と、を備える。連結点を中心として本体と補助体とを相互に開いたときには、本体が地面となす傾斜角度は４４度以下である。【選択図】図１
0003141773.tif 000002
【実用新案登録請求の範囲】
【請求項１】
相互に平行な第一支持用柱及び第二支持用柱と、前記第一支持用柱及び前記第二支持用柱との間に配置された少なくとも二つの踏み台と、からなる本体と、
前記第一支持用柱及び前記第二支持用柱に対して連結点において回動可能に連結された補助体と、
踏み台回動用部材と、
からなる折り畳み式脚立であって、
前記踏み台の各々は前記第一支持用柱及び前記第二支持用柱に対して回動可能に支持されるとともに、前記踏み台回動用部材に対しても回動可能に支持され、
前記踏み台回動用部材はその一端において前記補助体に対して回動自在に連結されており、
前記連結点を中心として前記本体と前記補助体とを相互に開いたときには、前記踏み台の各々は前記第一支持用柱及び前記第二支持用柱に対して回動し、水平になり、
前記連結点を中心として前記本体と前記補助体とを相互に閉じたときには、前記踏み台の各々は前記第一支持用柱及び前記第二支持用柱に対して回動し、前記第一支持用柱及び前記第二支持用柱が規定する面内に収容され、
前記連結点を中心として前記本体と前記補助体とを相互に開いたときには、前記本体が地面となす傾斜角度は４４度以下である折り畳み式脚立。
【請求項２】
前記連結点を中心として前記本体と前記補助体とを相互に開いたときには、前記本体が地面となす傾斜角度は４０．６度以下であることを特徴とする請求項１に記載の折り畳み式脚立。
【請求項３】
前記踏み台のうち、少なくとも最上の踏み台には、前記第一支持用柱及び前記第二支持用柱の一方から他方に向かう方向における両端部において、サイドガードが形成されていることを特徴とする請求項１または２に記載の折り畳み式脚立。
【請求項４】
前記第一支持用柱及び前記第二支持用柱の下端には、前記第一支持用柱及び前記第二支持用柱が規定する面と直交する方向に回転軸を有する車輪が取り付けられており、前記車輪は、前記連結点を中心として前記本体と前記補助体とを相互に開いたときには、接地しないことを特徴とする請求項１乃至３の何れか一項に記載の折り畳み式脚立。
【考案の詳細な説明】
【技術分野】
【０００１】
本考案は折り畳み式脚立に関する。
【背景技術】
【０００２】
これまでに種々の折り畳み式脚立が提案されている。
【０００３】
例えば、実用新案登録第３１１２６８９号公報に記載されている脚立は、地面との間の傾斜角度が４５度乃至９０度の範囲になるように構成されている。
【考案の開示】
【考案が解決しようとする課題】
【０００４】
近年は、いかなる製品にも高齢者用のものが提案されている。上記公報に記載されている脚立もその例外ではなく、４５度乃至９０度という広範囲の傾斜角度を実現することにより、高齢者でも使用可能であるようにされている。
【０００５】
上記公報に記載されている脚立の最小の傾斜角度は４５度であるが、この最小の傾斜角度も、高齢者が昇降するには、急勾配であることが少なくない。
【０００６】
本考案は以上のような従来の脚立における問題点に鑑みてなされたものであり、高齢者が比較的楽に昇降することが可能な脚立を提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、相互に平行な第一支持用柱（１０１）及び第二支持用柱（１０２）と、前記第一支持用柱（１０１）及び前記第二支持用柱（１０２）との間に配置された少なくとも二つの踏み台（１０３）と、からなる本体（１１０）と、前記第一支持用柱（１０１）及び前記第二支持用柱（１０２）に対して連結点（１２１）において回動可能に連結された補助体（１２０）と、踏み台回動用部材（１３０）と、からなる折り畳み式脚立（１００）であって、前記踏み台（１０３）の各々は前記第一支持用柱（１０１）及び前記第二支持用柱（１０２）に対して回動可能に支持されるとともに、前記踏み台回動用部材（１３０）に対しても回動可能に支持され、前記踏み台回動用部材（１３０）はその一端において前記補助体（１２０）に対して回動自在に連結されており、前記連結点（１２１）を中心として前記本体（１１０）と前記補助体（１２０）とを相互に開いたときには、前記踏み台（１０３）の各々は前記第一支持用柱（１０１）及び前記第二支持用柱（１０２）に対して回動し、水平になり、前記連結点（１２１）を中心として前記本体（１１０）と前記補助体（１２０）とを相互に閉じたときには、前記踏み台（１０３）の各々は前記第一支持用柱（１０１）及び前記第二支持用柱（１０２）に対して回動し、前記第一支持用柱（１０１）及び前記第二支持用柱（１０２）が規定する面内に収容され、前記連結点（１２１）を中心として前記本体（１１０）と前記補助体（１２０）とを相互に開いたときには、前記本体（１１０）が地面となす傾斜角度は４４度以下である折り畳み式脚立（１００）を提供する。
【０００９】
前記連結点（１２１）を中心として前記本体（１１０）と前記補助体（１２０）とを相互に開いたときには、前記本体（１１０）が地面となす傾斜角度は４０．６度以下であることが好ましい。
【００１０】
前記踏み台（１０３）のうち、少なくとも最上の踏み台（１０３Ａ）には、前記第一支持用柱（１０１）及び前記第二支持用柱（１０２）の一方から他方に向かう方向における両端部において、サイドガード（１５０）が形成されていることが好ましい。
【００１１】
前記第一支持用柱（１０１）及び前記第二支持用柱（１０２）の下端には、前記第一支持用柱（１０１）及び前記第二支持用柱（１０２）が規定する面と直交する方向に回転軸を有する車輪（１４０）が取り付けられていることが好ましい。前記車輪（１４０）は、前記連結点（１２１）を中心として前記本体（１１０）と前記補助体（１２０）とを相互に開いたときには、接地しない。
【考案の効果】
【００１２】
本考案に係る折り畳み式脚立においては、本体と補助体とを相互に開いたときに、本体が接地面となす傾斜角度は４４度以下になるように設定されている。このため、高齢者でも比較的楽に踏み台を昇降することができる。
【００１３】
さらに、この傾斜角度を４０．６度以下に設定することにより、「年金バリアフリー住宅」及び「住宅性能表示制度（等級５）」の階段の勾配規定に準じた値となり、より高齢者向きの脚立を実現することができる。
【００１４】
また、踏み台のうちの最上の踏み台にサイドガードを形成することにより、使用者が作業時に踏み台の天面の端部を足先で判断することが可能になる。踏み台における事故のなかで発生率が最も多いのは、使用時にバランスを崩しての転倒事故（特に、左右への転倒事故）であり、その原因としては、使用者が踏み台の天面をはみ出して使用することが最も多いと言われている。サイドガードを設けることにより、そのような転倒事故を軽減することが可能になる。
【考案を実施するための最良の形態】
【００１５】
図１は本考案の第一の実施形態に係る折り畳み式脚立１００を開いた状態の斜視図、図２は本考案の第一の実施形態に係る折り畳み式脚立１００を開いた状態の側面図、図３は本考案の第一の実施形態に係る折り畳み式脚立１００を閉じた状態の斜視図、図４は本考案の第一の実施形態に係る折り畳み式脚立１００を閉じた状態の側面図である。
【００１６】
本実施形態に係る折り畳み式脚立１００は、図１及び図２に示すように、相互に平行な第一支持用柱１０１及び第二支持用柱１０２と、第一支持用柱１０１及び第二支持用柱１０２との間に等間隔に配置された３個の踏み台１０３と、からなる本体１１０と、第一支持用柱１０１及び第二支持用柱１０２に対して連結点１２１において回動可能に連結された補助体１２０と、一対の踏み台回動用部材１３０と、から構成されている。
【００１７】
踏み台１０３の各々は、それらの一端付近において、第一支持用柱１０１及び第二支持用柱１０２に対して回動可能に支持されるとともに、それらの他端付近において、踏み台回動用部材１３０に対しても回動可能に支持されている。
【００１８】
さらに、踏み台回動用部材１３０は、その一端において、具体的には、図２に示すように、上端において、補助体１２０に対して連結点１３１を介して回動自在に連結されている。
【００１９】
第一支持用柱１０１及び第二支持用柱１０２の下端には、第一支持用柱１０１及び第二支持用柱１０２が規定する面と直交する方向に回転軸を有する車輪１４０がそれぞれ取り付けられている。
【００２０】
車輪１４０は、連結点１２１を中心として本体１１０と補助体１２０とを相互に開いた状態においては、接地しないように配置されている。
【００２１】
本体１１０と補助体１２０とは、連結点１２１を中心として、相互に回動可能である。すなわち、本体１１０と補助体１２０とを連結点１２１を中心として相互に回動させることにより、図１及び図２に示すように、本体１１０と補助体１２０とを相互に開くことが可能であり、あるいは、本体１１０と補助体１２０とを連結点１２１を中心として相互に逆方向に回動させることにより、図３及び図４に示すように、本体１１０と補助体１２０とを相互に閉じることが可能である。
【００２２】
連結点１２１を中心として本体１１０と補助体１２０とを相互に開いた場合には、本体１１０及び補助体１２０の回動とともに、踏み台１０３の各々も第一支持用柱１０１及び第二支持用柱１０２並びに踏み台回動用部材１３０に対して回動し、図１及び図２に示すように、踏み台１０３の各々は水平になる。
【００２３】
これに対して、連結点１２１を中心として本体１１０と補助体１２０とを相互に閉じた場合には、本体１１０及び補助体１２０の回動とともに、踏み台１０３の各々も第一支持用柱１０１及び第二支持用柱１０２並びに踏み台回動用部材１３０に対して逆方向に回動し、踏み台１０３の各々は第一支持用柱１０１及び第二支持用柱１０２が規定する面内にほぼ収容される。
【００２４】
また、連結点１２１を中心として本体１１０と補助体１２０とを相互に開いた場合に、本体１１０が地面となす角度θ１は最大で４４度である。
【００２５】
なお、連結点１２１を中心として本体１１０と補助体１２０とを相互に開いた場合に、補助体１２０が地面となす角度θ２は７５度に設定されている。
【００２６】
また、３個の踏み台１０３のうち、最上の踏み台１０３Ａは他の２個の踏み台１０３よりも大きな面積を有している。
【００２７】
さらに、最上の踏み台１０３Ａには、第一支持用柱１０１及び第二支持用柱１０２の一方から他方に向かう方向における両端部において、サイドガード１５０が形成されている。すなわち、最上の踏み台１０３Ａにおいては、第一支持用柱１０１及び第二支持用柱１０２の一方から他方に向かう方向における両端部において、踏み台１０３Ａが規定する平面よりも高さが高くなっている。
【００２８】
以上のような構造を有する本実施形態に係る折り畳み式脚立１００は以下のように使用される。
【００２９】
非使用時には、図３及び図４に示すように、本体１００と補助体１２０とは連結点１２１を中心として相互に閉じられた状態にある。
【００３０】
この場合には、踏み台１０３の各々は第一支持用柱１０１及び第二支持用柱１０２が規定する面内にほぼ収容されている。
【００３１】
さらに、本体１００と補助体１２０とを連結点１２１を中心として相互に閉じた場合には、第一支持用柱１０１及び第二支持用柱１０２の下端にそれぞれ取り付けられている車輪１４０を接地させて回転させることにより、折り畳み式脚立１００を容易に移動させることが可能である。
【００３２】
使用時には、図１及び図２に示すように、連結点１２１を中心として本体１１０と補助体１２０とを相互に開き、第一支持用柱１０１及び第二支持用柱１０２の各下端を接地させる。
【００３３】
前述のように、連結点１２１を中心として本体１１０と補助体１２０とを相互に開くと、本体１１０及び補助体１２０の回動とともに、踏み台１０３の各々も第一支持用柱１０１及び第二支持用柱１０２並びに踏み台回動用部材１３０に対して、図１及び図２に示すように、水平位置まで回動する。
【００３４】
この場合には、第一支持用柱１０１及び第二支持用柱１０２の下端にそれぞれ取り付けられている車輪１４０は接地していないため、折り畳み式脚立１００が車輪１４０により動いてしまうことはない。
【００３５】
本実施形態に係る折り畳み式脚立１００によれば、以下のような効果を得ることができる。
【００３６】
本実施形態に係る折り畳み式脚立１００においては、本体１１０と補助体１２０とを相互に開いたときに、本体１１０が接地面となす傾斜角度θ１は４４度以下になるように設定されている。このため、高齢者でも比較的楽に踏み台１０３を昇降することができる。
【００３７】
なお、本体１１０が接地面となす傾斜角度θ１は４０．６度以下であることがより好ましい。この４０．６度の傾斜角度は「年金バリアフリー住宅」及び「住宅性能表示制度（等級５）」の階段の勾配規定に準じた値である。
【００３８】
また、本実施形態に係る折り畳み式脚立１００においては、踏み台１０３のうちの最上の踏み台１０３Ａにはサイドガード１５０が形成されている。
【００３９】
踏み台における事故のなかで発生率が最も多いのは、使用時にバランスを崩しての転倒事故（特に、左右への転倒事故）である。その原因としては、使用者が踏み台の天面をはみ出して使用することが最も多いと言われている。
【００４０】
サイドガード１５０を設けることにより、使用者が作業時に踏み台１０３の天面の端部を足先で判断することが可能になり、転倒事故を軽減することが可能になる。
【００４１】
本実施形態に係る折り畳み式脚立１００は上記の構造に限定されるものではなく、種々の改変が可能である。
【００４２】
例えば、本実施形態に係る折り畳み式脚立１００においては、踏み台１０３のうちの最上の踏み台１０３Ａにのみサイドガード１５０が設けられているが、他の踏み台１０３にもサイドガード１５０を設けることが可能である。あるいは、全ての踏み台１０３にサイドガード１５０を設けることもできる。
【００４３】
また、車輪１４０は、必要でない場合には、取り外しておくことができる。このため、車輪１４０は第一支持用柱１０１及び第二支持用柱１０２に対して取り外し自在に取り付けられるものであることが好ましい。
【００４４】
また、本実施形態に係る折り畳み式脚立１００は３個の踏み台１０３を備えるものとして構成されているが、踏み台１０３の数は３には限定されない。踏み台１０３の数は少なくとも２であればよく、本実施形態に係る折り畳み式脚立１００は２以上の任意の数の踏み台１０３を備えるものとして構成することが可能である。
【図面の簡単な説明】
【００４５】
【図１】本考案の第一の実施形態に係る折り畳み式脚立を開いた状態の斜視図である。
【図２】本考案の第一の実施形態に係る折り畳み式脚立を開いた状態の側面図である。
【図３】本考案の第一の実施形態に係る折り畳み式脚立を閉じた状態の斜視図である。
【図４】本考案の第一の実施形態に係る折り畳み式脚立を閉じた状態の側面図である。
【符号の説明】
【００４６】
１００  本考案の第一の実施形態に係る脚立
１０１  第一支持用柱
１０２  第二支持用柱
１０３  踏み台
１１０  本体
１２０  補助体
１２１  連結点
１３０  踏み台回動用部材
１３１  連結点
１４０  車輪
１５０  サイドガード
【図１】
0003141773.tif 000003
【図２】
0003141773.tif 000004
【図３】
0003141773.tif 000005
【図４】
0003141773.tif 000006